(57)【要約】【課題】  健常者及び視覚障害者を問わず、情報を伝達する。【解決手段】  被貼着体に貼着可能に構成され、音声情報の記録及び再生が可能なラベルであって、シート状に構成され、音声情報を記録及び再生可能な音声情報記録／再生部３０が、２枚の支持シート２０ａ，２０ｂ及び表面シート１０ａ，１０ｂに挟み込まれ、表面シート１０ｂの一方の面に塗布された粘着剤５０によって貼着可能に構成する。【選択図】図１
2006001039.tif 000002
【特許請求の範囲】
【請求項１】
被貼着体に貼着可能に構成され、音声情報の記録及び再生が可能なラベルであって、
シート状に構成され、音声情報を記録及び再生可能な音声情報記録／再生手段と、
前記音声情報記録／再生手段を挟み込む２枚のシート基材とを有し、
前記２枚のシート基材のうち一方のシート基材に施された粘着加工によって貼着可能に構成されたラベル。
【請求項２】
請求項１に記載のラベルにおいて、
前記２枚のシート基材は、それぞれ２つの領域に切り離し可能に構成され、
前記音声情報記録／再生手段は、音声情報を記録するための配線が前記２つの領域を跨るように前記２枚のシート基材に挟み込まれていることを特徴とするラベル。
【請求項３】
請求項１に記載のラベルにおいて、
前記２枚のシート基材は、それぞれ２つの領域に切り離し可能に構成され、
前記音声情報記録／再生手段は、音声情報を記録する際に操作される第１のスイッチが前記２つの領域のうち一方の領域に配置され、当該音声情報記録／再生手段を構成する他の部材が他方の領域に配置されるように前記２枚のシート基材に挟み込まれていることを特徴とするラベル。
【請求項４】
請求項３に記載のラベルにおいて、
前記２枚のシート基材のうち、被貼着体への貼着側となるシート基材は、前記２つの領域のうち、前記第１のスイッチが挟み込まれた領域の貼着面には粘着加工が施されていないことを特徴とするラベル。
【請求項５】
請求項２乃至４のいずれか１項に記載のラベルにおいて、
前記２枚のシート基材は、前記音声情報記録／再生手段に設けられ、記録された音声情報を再生する際に操作される第２のスイッチに対向する領域が、外部から触れることにより識別可能に構成されていることを特徴とするラベル。
【発明の詳細な説明】
【技術分野】
【０００１】
本発明は、粘着剤によって物品等の被貼着体に貼着可能に構成されたラベルに関し、特に、音声情報の記録及び再生が可能なラベルに関する。
【背景技術】
【０００２】
従来より、粘着剤によって物品等の被貼着体に貼着可能に構成されたラベルにおいては、その用途に応じて様々な形態で提供され、様々な用途で使用されている。このようなラベルにおいては、その表面に情報を印刷あるいは記入することによって、情報を伝達することができる。
【０００３】
また、近年においては、ラベル表面に、伝達したい情報を表示するとともに、点字を含む凸形状加工を施すことにより、視覚障害者に対しても情報を伝達することができるラベルが考えられている（例えば、特許文献１参照。）。このように、ラベル表面に、伝達したい情報を表示するとともに、点字を含む凸形状加工を施しておけば、表面に表示された情報を健常者に伝達することができるとともに、この凸形状加工によって表現される情報を視覚障害者に伝達することができる。
【特許文献１】特開２００１−２４２７８８号公報
【発明の開示】
【発明が解決しようとする課題】
【０００４】
しかしながら、上述したように表面に点字を含む凸形状加工が施されているラベルにおいては、点字を読むことができる視覚障害者に対しては、点字によって表現される情報を伝達することができるものの、点字を読むことができない視覚障害者に対しては情報を伝達することができない。
【０００５】
ここで、現在、実際に視覚障害者のうち点字を読むことができる人の割合は２割にも満たず、また、弱視者や高齢者を含めるとその割合は５％にも満たない。そのため、表面に点字を含む凸形状加工が施されたラベルを用いても、多くの視覚障害者や弱視者には情報を伝達することが困難であるという問題点がある。
【０００６】
本発明は、上述したような従来の技術が有する問題点に鑑みてなされたものであって、健常者及び視覚障害者を問わず、情報を伝達することができるラベルを提供することを目的とする。
【課題を解決するための手段】
【０００７】
上記目的を達成するために本発明は、
被貼着体に貼着可能に構成され、音声情報の記録及び再生が可能なラベルであって、
シート状に構成され、音声情報を記録及び再生可能な音声情報記録／再生手段と、
前記音声情報記録／再生手段を挟み込む２枚のシート基材とを有し、
前記２枚のシート基材のうち一方のシート基材に施された粘着加工によって貼着可能に構成されている。
【０００８】
また、前記２枚のシート基材は、それぞれ２つの領域に切り離し可能に構成され、
前記音声情報記録／再生手段は、音声情報を記録するための配線が前記２つの領域を跨るように前記２枚のシート基材に挟み込まれていることを特徴とする。
【０００９】
また、前記２枚のシート基材は、それぞれ２つの領域に切り離し可能に構成され、
前記音声情報記録／再生手段は、音声情報を記録する際に操作される第１のスイッチが前記２つの領域のうち一方の領域に配置され、当該音声情報記録／再生手段を構成する他の部材が他方の領域に配置されるように前記２枚のシート基材に挟み込まれていることを特徴とする。
【００１０】
また、前記２枚のシート基材のうち、被貼着体への貼着側となるシート基材は、前記２つの領域のうち、前記第１のスイッチが挟み込まれた領域の貼着面には粘着加工が施されていないことを特徴とする。
【００１１】
また、前記２枚のシート基材は、前記音声情報記録／再生手段に設けられ、記録された音声情報を再生する際に操作される第２のスイッチに対向する領域が、外部から触れることにより識別可能に構成されていることを特徴とする。
【００１２】
上記のように構成された本発明においては、２枚のシート基材に挟み込まれた音声情報記録／再生手段に音声情報が記録され、このラベルが被貼着体に貼着され、被貼着体が送付等によって音声情報の伝達先に提供された後、音声情報の伝達先において、音声情報記録／再生手段に記録された音声情報が再生されることにより、所望の音声情報が伝達先に伝達されることになる。
【発明の効果】
【００１３】
以上説明したように本発明においては、被貼着体に貼着可能に構成されたラベルであって、２枚のシート基材に挟み込まれたシート状の音声情報記録／再生手段に音声情報が記録され、記録された音声情報が再生可能に構成されているため、伝達したい情報が音声情報で記録されたラベルを被貼着体に貼着し、この被貼着体を音声情報の伝達先に提供すれば、健常者及び視覚障害者を問わずに所望の情報を伝達することができる。
【００１４】
また、２枚のシート基材がそれぞれ２つの領域に切り離し可能に構成され、音声情報記録／再生手段が、音声情報を記録するための配線が２つの領域を跨るように２枚のシート基材に挟み込まれているものにおいては、音声情報記録／再生手段に音声情報を記録した後、このラベルを被貼着体に貼着する際に２枚のシート基材を２つの領域に切り離せば、音声情報を記録するための配線が断線し、それにより、被貼着体に貼着されたラベルに音声情報が誤って記録されてしまうことを防止することができる。
【００１５】
また、２枚のシート基材がそれぞれ２つの領域に切り離し可能に構成され、音声情報記録／再生手段が、音声情報を記録する際に操作される第１のスイッチが２つの領域のうち一方の領域に配置され、音声情報記録／再生手段を構成する他の部材が他方の領域に配置されるように２枚のシート基材に挟み込まれているものにおいては、音声情報記録／再生手段に音声情報を記録した後、このラベルを被貼着体に貼着する際に２枚のシート基材を２つの領域に切り離せば、音声情報記録／再生手段のうち、音声情報を記録する際に操作される第１のスイッチが、被貼着体に貼着されないことになり、それにより、被貼着体に貼着されたラベルに音声情報が誤って記録されてしまうことを防止することができる。
【００１６】
また、２枚のシート基材のうち、被貼着体への貼着側となるシート基材の、第１のスイッチが挟み込まれた領域の貼着面に粘着加工が施されていない構成としたものにおいては、第１のスイッチが挟み込まれ、被貼着体に貼着前に切り離されるべき領域が誤って被貼着体に貼着されてしまうことを防止することができる。
【００１７】
また、２枚のシート基材のうち、音声情報記録／再生手段に記録された音声情報を再生する場合に操作される第２のスイッチに対向する領域が、外部から触れることにより識別可能に構成されているものにおいては、視覚障害者がこの第２のスイッチを認識しやすくなる。
【発明を実施するための最良の形態】
【００１８】
以下に、本発明の実施の形態について図面を参照して説明する。
【００１９】
（第１の実施の形態）
図１は、本発明のラベルの第１の実施の形態を示す図であり、（ａ）は表面から見た図、（ｂ）は内部構造を示す図、（ｃ）は（ａ）に示したＡ−Ａ’断面図である。また、図２は、図１に示したラベル１の積層状態を示す図である。
【００２０】
本形態は図１及び図２に示すように、音声情報の記録及び再生が可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、紙基材等の柔軟性を有し、かつ薄型の基材からなる２枚の表面シート１０ａ，１０ｂに挟まれ、支持シート２０ａの表裏にそれぞれ塗布された粘着剤２８ａ，２９ａと、支持シート２０ｂの表裏にそれぞれ塗布された粘着剤２８ａ，２９ａとによって、表面シート１０ａ，１０ｂ、支持シート２０ａ，２０ｂ及び音声情報記録／再生部３０が互いに接着されて構成されている。また、表面シート１０ｂの支持シート２０ｂと対向しない面には粘着剤５０が塗布され、粘着剤５０を介して剥離紙６０が剥離可能に接着されている。これら表面シート１０ａと支持シート２０ａとから１枚のシート基材を構成し、表面シート１０ｂと支持シート２０ｂとから１枚のシート基材を構成し、これら２枚のシート基材によって音声情報記録／再生部３０が挟み込まれている。
【００２１】
また、音声情報記録／再生部３０は、ピエゾ素子４１及び振動板４２等からなりシート状に構成されて記録された音声情報が出力される音声情報出力部４０と、音声情報が記録される薄型のＩＣチップ３４やコンデンサ、抵抗等の回路素子、並びにＩＣチップ３４に記録された音声情報を音声情報出力部４０から出力する際に操作される薄型のスイッチ３３とが搭載された音声基板３２と、音声基板３２に接続され、音声基板３２に電源を供給するための柔軟性を有してなるペーパー電池３１とから構成されており、さらに、音声基板３２には、外部からＩＣチップ３４に音声情報を入力したり、ＩＣチップ３４に記録された音声情報を外部に出力したりするための接続端子３５が設けられている。これにより、音声情報記録／再生部３０は、シート状に構成されている。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３２が接合されている。
【００２２】
また、支持シート２０ａにおいては、音声情報記録／再生部３０と積層された場合に、ペーパー電池３１、スイッチ３３、ＩＣチップ３４及び音声情報出力部４０と対向する領域に穴２１ａ，２２，２３，２４ａがそれぞれ形成されており、また、支持シート２０ｂにおいては、音声情報記録／再生部３０と積層された場合に、ペーパー電池３１及び音声情報出力部４０と対向する領域に穴２１ｂ，２４ｂがそれぞれ形成されている。
【００２３】
このように、支持シート２０ａの、ペーパー電池３１、スイッチ３３、ＩＣチップ３４及び音声情報出力部４０と対向する領域に穴２１ａ，２２，２３，２４ａがそれぞれ形成され、また、支持シート２０ｂの、ペーパー電池３１及び音声情報出力部４０と対向する領域に穴２１ｂ，２４ｂがそれぞれ形成されることにより、ペーパー電池３１、スイッチ３３、ＩＣチップ３４及び音声情報出力部４０が設けられている領域と他の領域とで厚さの差が小さくなり、それにより、表面シート１０ａの平坦性が向上し、表面シート１０ａ上に情報を容易に印刷することができるようになる。
【００２４】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２５】
図３（ａ）に示すように、支持シート２０ａのペーパー電池３１と対向する領域に形成された穴２１ａはペーパー電池３１よりも小さく、また、スイッチ３３と対向する領域に形成された穴２２はスイッチ３３よりも大きく、また、ＩＣチップ３４と対向する領域に形成された穴２３はＩＣチップ３４よりも大きく、また、音声情報出力部４０と対向する領域に形成された穴２４ａは音声情報出力部４０よりも大きくなっている。
【００２６】
また、図３（ｂ）に示すように、支持シート２０ｂのペーパー電池３１と対向する領域に形成された穴２１ｂはペーパー電池３１よりも小さく、また、音声情報出力部４０と対向する領域に形成された穴２４ｂは音声情報出力部４０よりも小さくなっている。
【００２７】
これにより、音声情報記録／再生部３０は、２枚の支持シート２０ａ，２０ｂによって一部のみが表裏から挟み込まれるように積層され、支持シート２０ａの裏面に塗布された粘着剤２９ａと支持シート２０ｂの表面に塗布された粘着剤２８ｂとによって固定されている。
【００２８】
また、２枚の表面シート１０ａ，１０ｂのうち、支持シート２０ａの穴２２，２３を介してスイッチ３３及びＩＣチップ３４と対向する側の表面シート１０ａにおいては、このラベル１の提供先に伝達すべき情報等が印刷される情報表示領域２が設けられているとともに、支持シート２０ａの穴２２を介してスイッチ３３と対向する領域にはスイッチ３３を操作するための再生ボタン３を示す印刷が施され、また、支持シート２０ａの穴２４ａを介して音声情報出力部４０と対向する領域には、音声情報出力部４０から出力された音声を外部に出力するための微細な穴が羅列されてなる音声出力領域４が形成されている。このように微細な穴が羅列されてなる音声出力領域４が形成されているため、音声情報出力部４０が表裏を表面シート１０ａ，１０ｂで覆われた状態であっても、音声情報出力部４０から出力される音量の低下を補うことができる。なお、音声出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、再生ボタン３においては、情報表示領域２に印刷される情報とともに表面シート１０ａに印刷することが考えられるが、情報表示領域２に情報が印刷された後に、スイッチ３３に対向する領域にシールを貼付することによって設けることも考えられる。
【００２９】
上述したラベル１においては、情報表示領域２に情報を印刷しておくとともに、ラベル１の提供先に伝達したい音声情報を音声情報記録／再生部３０の接続端子３５を介して入力してＩＣチップ３４に記録しておけば、その後、このラベル１が被貼着体に貼着されてラベル１の提供先に提供された際に、ラベル１の提供先において、情報表示領域２に印刷された情報が視覚によって伝達されるとともに、再生ボタン３を介してスイッチ３３が押下されると、ＩＣチップ３４に記録された音声情報が音声情報出力部４０から出力されることになる。
【００３０】
このように、情報表示領域２に情報が印刷されているとともに、ＩＣチップ３４に音声情報が記録され、その後、再生ボタン３を介してスイッチ３３が押下されることにより音声情報が出力されるので、健常者及び視覚障害者を問わず、所望の情報を伝達することができる。
【００３１】
（第２の実施の形態）
図４は、本発明のラベルの第２の実施の形態を示す図であり、（ａ）は表面から見た図、（ｂ）は内部構造を示す図、（ｃ）は（ａ）に示したＡ−Ａ’断面図、（ｄ）は（ａ）に示したＢ−Ｂ’断面図である。また、図５は、図４に示したラベル１０１の積層状態を示す図である。
【００３２】
本形態は図４及び図５に示すように、音声情報の記録及び再生が可能なシート状の音声情報記録／再生部１３０が、紙基材等の柔軟性を有し、かつ薄型の基材からなる大きさが異なる２枚の支持シート１２０ａ，１２０ｂに挟まれ、また、支持シート１２０ａの音声情報記録／再生部１３０が対向しない面側に、紙基材等の柔軟性を有して薄型の基材からなり、支持シート１２０ｂと同等の大きさの表面シート１１０ａが積層されて構成されている。また、支持シート１２０ｂの音声情報記録／再生部１３０が対向しない面には剥離紙１６０が剥離可能に接着されている。なお、支持シート１２０ａの表裏にはそれぞれ粘着剤１２８ａ，１２９ａが塗布されており、また、支持シート１２０ｂの表裏にはそれぞれ粘着剤１２８ｂ，１２９ｂが塗布されている。表面シート１１０ａは、支持シート１２０ａと対向する領域においては粘着剤１２８ａによって支持シート１２０ａに接着され、また、支持シート１２０ｂと対向する領域においては粘着剤１２８ｂによって支持シート１２０ｂと接着されている。また、支持シート１２０ｂと剥離紙１６０とは粘着剤１２９ｂによって剥離可能に接着されている。これら表面シート１１０ａと支持シート１２０ａとから１枚のシート基材を構成し、支持シート１２０ｂから１枚のシート基材を構成し、これら２枚のシート基材によって音声情報記録／再生部１３０が挟み込まれ、支持シート１２０ａの裏面に塗布された粘着剤１２９ａと支持シート１２０ｂの表面に塗布された粘着剤１２８ｂとによって音声情報記録／再生部１３０が固定されている。
【００３３】
また、音声情報記録／再生部１３０は、ピエゾ素子１４１及び振動板１４２等からシート状に構成されて音声情報を入出力するための音声情報入出力部１４０と、音声情報入出力部１４０を介して入力された音声情報が記録されるメモリ領域を具備する薄型のＩＣチップ１３４やコンデンサ、抵抗等の回路素子、並びにＩＣチップ１３４と電気的に接続された第１のスイッチ１３３ｂ及び第２のスイッチ１３３ａが搭載された音声基板１３２と、音声基板１３２に接続され、音声基板１３２に電源を供給するための柔軟性を有してなるペーパー電池１３１と、ＩＣチップ１３４に音声情報を記録するためにスイッチ１３３ｂとＩＣチップ１３４とを電気的に接続するための配線パターン１７１が形成された接続基板１７０とから構成されている。これにより、音声情報記録／再生部１３０はシート状に構成されている。さらに、音声基板１３２には、外部からＩＣチップ１３４に音声情報を入力したり、ＩＣチップ１３４に記録された音声情報を外部に出力したりするための接続端子１３５が設けられ、また、ペーパー電池１３１の正極とスイッチ１３３ａ，１３３ｂとを接続する配線パターン１３７ａと、ＩＣチップ１３４のポート端子のうち、ＩＣチップ１３４のメモリ領域に記録された音声情報を出力するための指示信号が入力されるポート端子とスイッチ１３３ａとを接続する配線パターン１３７ｂと、ＩＣチップ１３４のポート端子のうち、音声情報入出力部１４０を介して入力された音声情報をＩＣチップ１３４のメモリ領域に記録するための指示信号が入力されるポート端子と接続基板１７０に形成された配線パターン１７１とを接続する配線パターン１３７ｃと、配線パターン１７１とスイッチ１３３ｂとを接続する配線パターン１３７ｄとが形成されている。なお、配線パターン１３７ａと配線パターン１３７ｂとはスイッチ１３３ａの下部にて電気的に接続されておらず、また、配線パターン１３７ａと配線パターン１３７ｄとはスイッチ１３３ｂの下部にて電気的に接続されていない。また、音声基板１３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ１３４が接合されている。また、接続基板１７０においても、上述したような柔軟性を有するものである必要があるが、さらに、フィルム等の切断しやすい材料から構成する必要がある。また、ＩＣチップ１３４は、音声情報入出力部１４０を介して入力された音声情報をメモリ領域に記録し、また、メモリ領域に記録された音声情報を音声情報入出力部１４０を介して出力する制御を行うものであって、配線パターン１３７ｂに接続されたポート端子が電源電位になった場合、ＩＣチップ１３４のメモリ領域に記録された音声情報を出力し、また、配線パターン１３７ｃに接続されたポート端子が電源電位になっている間だけ、音声情報入出力部１４０を介して入力された音声情報をＩＣチップ１３４のメモリ領域に記録する。また、スイッチ１３３ａは、ＩＣチップ１３４のメモリ領域に記録された音声情報を音声情報入出力部１４０を介して出力する際に操作されるものであり、また、スイッチ１３３ｂは、音声情報入出力部１４０を介して入力された音声情報をＩＣチップ１３４のメモリ領域に記録する際に操作されるものである。
【００３４】
これら音声情報記録／再生部１３０を構成する音声情報入出力部１４０、音声基板１３２、ペーパー電池１３１及び接続基板１７０は、音声情報入出力部１４０、音声基板１３２及びペーパー電池１３１が、表面シート１１０ａ及び支持シート１２０ｂにそれぞれ形成されたミシン目１０５，１２５を介して切り離し可能に分割される２つの領域のうち一方の領域のみに、また、接続基板１７０が２つの領域に跨るように支持シート１２０ａ，１２０ｂ及び表面シート１１０ａに挟み込まれている。
【００３５】
また、図５に示すように、支持シート１２０ａにおいては、表面シート１１０ａ及び支持シート１２０ｂのうち、表面シート１１０ａ及び支持シート１２０ｂにそれぞれ形成されたミシン目１０５，１２５を介して分割される２つの領域のうち一方の領域のみに積層される形状であって、音声情報記録／再生部１３０と積層された場合に、ペーパー電池１３１、スイッチ１３３ａ，１３３ｂ、ＩＣチップ１３４及び音声情報入出力部１４０と対向する領域に穴１２１ａ，１２２，１２３，１２４ａがそれぞれ形成されている。また、その厚さは、音声情報記録／再生部１３０のスイッチ１３３ａの厚さよりも薄くなっている。
【００３６】
これにより、音声情報記録/／再生部１３０が支持シート１２０ａ，１２０ｂ及び表面シート１１０ａに挟み込まれた場合に、表面シート１１０ａの表面のうち、再生ボタン１０３ａが設けられた領域のみが他の領域に対して突出することになり、それにより、再生ボタン１０３ａが、外部から触れることにより識別可能なものとなる。また、このように、支持シート１２０ａの厚さをスイッチ１３３ａの厚さよりも薄くすることにより、表面シート１１０ａの表面のうち再生ボタン１０３ａが設けられた領域のみを突出させる構成とはせず、表面シート１１０ａの再生ボタン１０３ａが設けられた領域に再生ボタン１０３ａを示す点字等の凸形状加工を施すことによって、再生ボタン１０３ａを、外部から触れることにより識別可能に構成することも考えられる。
【００３７】
また、支持シート１２０ｂにおいては、表面シート１１０ａに形成されたミシン目１０５と対向する領域にミシン目１２５が形成されており、また、音声情報記録／再生部１３０と積層された場合に、ペーパー電池１３１及び音声情報入出力部１４０と対向する領域に穴１２１ｂ，１２４ｂがそれぞれ形成されている。
【００３８】
また、図４に示すように、表面シート１１０ａにおいては、ミシン目１０５を介して音声情報記録／再生部１３０が挟み込まれる領域側に、このラベル１０１の提供先に伝達する情報が印刷される情報表示領域１０２が設けられ、また、支持シート１２０ａの穴１２２を介してスイッチ１３３ａと対向する領域にはスイッチ１３３ａを操作するための再生ボタン１０３ａを示す印刷が施され、また、支持シート１２０ａの穴１２２を介してスイッチ１３３ｂと対向する領域にはスイッチ１３３ｂを操作するための録音ボタン１０３ｂを示す印刷が施されている。また、支持シート１２０ａの穴１２４ａを介して音声情報入出力部１４０と対向する領域には、音声情報入出力部１４０から出力された音声を外部に出力するための微細な穴が羅列されてなる音声出力領域１０４が形成されている。このように微細な穴が羅列されてなる音声出力領域１０４が形成されているため、音声情報入出力部１４０が表面シート１１０ａで覆われた状態であっても、音声情報入出力部１４０から出力される音量の低下を補うことができる。
【００３９】
このように、音声情報記録／再生部１３０が、表面シート１１０ａ及び支持シート１２０ａ，１２０ｂに挟みこまれている。
【００４０】
以下に、上述したラベル１０１の使用方法について説明する。
【００４１】
まず、ラベル１０１の提供元において、表面シート１１０ａの情報表示領域１０２に伝達したい情報を印刷するとともに、再生ボタン１０３ａ及び録音ボタン１０３ｂをそれぞれ印刷する。
【００４２】
また、録音ボタン１０３ｂを介してスイッチ１３３ｂを押下しながら、ラベル１０１の提供先に伝達したい音声情報を音声情報入出力部１４０を介して入力し、ＩＣチップ１３４内のメモリ領域に記録する。
【００４３】
図６は、図４に示した録音ボタン１０３ｂを介してスイッチ１３３ｂを押下した場合の動作するための図であり、（ａ）はスイッチ１３３ｂが押下されていない状態におけるスイッチ１３３ｂ近傍の断面図、（ｂ）はスイッチ１３３ｂが押下された状態におけるスイッチ１３３ｂ近傍の断面図である。
【００４４】
図４に示したラベル１０１において、録音ボタン１０３ｂを介してスイッチ１３３ｂが押下されていない場合は、図６（ａ）に示すように、音声基板１３２に形成された配線パターン１３７ａと配線パターン１３７ｄとが電気的に接続されていない状態となっている。そのため、ＩＣチップ１３４のポート端子のうち、配線パターン１３７ｃ，１７１を介して配線パターン１３７ｄと接続されたポート端子、すなわち、音声情報入出力部１４０を介して入力された音声情報をＩＣチップ１３４のメモリ領域に記録するための指示信号が入力されるポート端子はオープン状態となっており、この状態において音声情報を音声情報入出力部１４０を介して入力しても、入力された音声情報はＩＣチップ１３４のメモリ領域に記録されない。
【００４５】
一方、録音ボタン１０３ｂを介してスイッチ１３３ｂが押下されると、図６（ｂ）に示すように、音声基板１３２に形成された配線パターン１３７ａと配線パターン１３７ｄとが、スイッチ１３３ｂの裏面に塗布された導電剤１３８を介して電気的に接続された状態となる。すると、配線パターン１３７ａがペーパー電池１３１の正極に接続されているため、配線パターン１３７ｃ，１７１を介して配線パターン１３７ｄと接続されたポート端子、すなわち、音声情報入出力部１４０を介して入力された音声情報をＩＣチップ１３４のメモリ領域に記録するための指示信号が入力されるポート端子が電源電位となり、それにより、この状態において音声情報を音声情報入出力部１４０を介して入力すると、入力された音声情報がＩＣチップ１３４のメモリ領域に記録されることになる。
【００４６】
なお、上述したようにラベル１０１に印刷を施してから音声情報を記録することにより、ラベル１０１の提供先に所望の異なる音声情報を記録することができるが、音声情報を記録してから印刷を施すことも考えられる。また、音声情報入出力部１４０を介して音声情報を入力するのではなく、音声基板１３２に設けられた接続端子１３５を介して外部から音声情報を入力することも考えられる。その場合、接続端子１３５を介しては、音声情報とともにこの音声情報の入力を行う旨の指示が入力され、ＩＣチップ１３４においては、この指示が入力された場合、接続端子１３５を介して入力された音声情報をメモリ領域に記録することになる。また、接続端子１３５を介しては、ＩＣチップ１３４のメモリ領域に記録された音声情報を外部に出力することもできる。その場合、ＩＣチップ１３４のメモリ領域に記録された音声情報を出力する旨の指示が接続端子１３５を介して入力され、ＩＣチップ１３４において、この指示が入力された場合、メモリ領域に記憶された音声情報を接続端子１３５を介して出力することになる。
【００４７】
このように、情報が印刷され、かつ、ＩＣチップ１３４に音声情報が記録された後、ミシン目１０５，１２５を介して表面シート１１０ａ及び支持シート１２０ｂを切断すると、それに伴って音声情報記録／再生部１３０の接続基板１７０が切断され、それにより、接続基板１７０に形成された配線パターン１７１が断線する。なお、接続基板１７０においては、ミシン目１０５，１２５に対向する領域に、配線パターン１７１の接続状態を損ねないような形状に切り込み１７２が形成されており、また、配線パターン１７１のミシン目１０５，１２５に対向する領域の線幅が細くなっているため、ミシン目１０５，１２５を介して表面シート１１０ａ及び支持シート１２０ｂを切断した場合に、ミシン目１０５，１２５を介して容易に切断されるような構成となっている。
【００４８】
図７は、図４に示したラベル１０１がミシン目１０５，１２５を介して２つの領域に切断された状態における内部構造を示す図である。
【００４９】
図７に示すように、ミシン目１０５，１２５を介して表面シート１１０ａ及び支持シート１２０ｂが２つの領域に切断されると、接続基板１７０が切断され、それにより、接続基板１７０に形成された配線パターン１７１が断線する。この状態においては、スイッチ１３３ｂに接続された配線パターン１３７ｄと、音声情報入出力部１４０を介して入力された音声情報をＩＣチップ１３４のメモリ領域に記録するための指示信号が入力されるポート端子に接続された配線パターン１３７ｃとが電気的に接続されない状態となり、それにより、この状態で録音ボタン１０３ｂを介してスイッチ１３３ｂが押下されても、音声情報入出力部１４０を介して入力された音声情報をＩＣチップ１３４のメモリ領域に記録するための指示信号が入力されるポート端子が電源電位にならない。そのため、この状態で音声情報入出力部１４０を介して音声情報を入力しても、入力された音声情報はＩＣチップ１３４のメモリ領域に記録されない。
【００５０】
その後、ミシン目１０５，１２５を介して表面シート１１０ａ及び支持シート１２０ｂが切断されたラベル１０１のうち、再生ボタン１０３ａや録音ボタン１０３ｂが設けられた側が被貼着体に貼着され、この被貼着体がラベル１０１の提供先に提供されることになる。その際、被貼着体に貼着されたラベル１０１においては、ＩＣチップ１３４に対して音声情報を記録するための配線パターン１７１が断線しているため、録音ボタン１０３ｂを介してスイッチ１３３ｂが押下されてもＩＣチップ１３４に音声情報が記録されることがない。
【００５１】
また、ラベル１０１の提供先において、再生ボタン１０３ａを介してスイッチ１３３ａが押下されると、ＩＣチップ１３４のメモリ領域に記録された音声情報が音声情報入出力部１４０を介して出力される。
【００５２】
上述した録音ボタン１０３ｂを介してのスイッチ１３３ｂの押下時と同様に、再生ボタン１０３ａを介してスイッチ１３３ａが押下されていない状態においては、音声基板１３２に形成された配線パターン１３７ａと配線パターン１３７ｂとが電気的に接続されていない状態となっており、そのため、ＩＣチップ１３４のポート端子のうち、配線パターン１３７ｂと接続されたポート端子、すなわち、ＩＣチップ１３４のメモリ領域に記録された音声情報を出力するための指示信号が入力されるポート端子はオープン状態となっており、ＩＣチップ１３４のメモリ領域に記録された音声情報は出力されない。
【００５３】
一方、再生ボタン１０３ａを介してスイッチ１３３ａが押下されると、音声基板１３２に形成された配線パターン１３７ａと配線パターン１３７ｂとが、スイッチ１３３ａの裏面に塗布された導電剤（不図示）を介して電気的に接続された状態となる。すると、配線パターン１３７ａがペーパー電池１３１の正極に接続されているため、配線パターン１３７ｂと接続されたポート端子、すなわち、ＩＣチップ１３４のメモリ領域に記録された音声情報を出力するための指示信号が入力されるポート端子が電源電位となり、それにより、ＩＣチップ１３４のメモリ領域に記録された音声情報が音声情報入出力部１４０を介して出力される。このように、再生ボタン１０３ａを介してスイッチ１３３ａを押下することにより、ＩＣチップ１３４に記録された音声情報が音声情報入出力部１４０を介して出力されることになる。
【００５４】
本形態においては、被貼着体への貼着側に表面シートを設けず、被貼着体への貼着を支持シート１２０ｂの裏面に塗布された粘着剤１２９ｂを用いて行う構成としているため、第１の実施の形態にて示したものを２つの領域に切り離し可能に構成するものと比べて、１枚の表面シート１１０ａのみにミシン目１０５を形成すればよいとともに、コストダウンを図ることができる。
【００５５】
（第３の実施の形態）
図８は、本発明のラベルの第３の実施の形態を示す図であり、（ａ）は表面から見た図、（ｂ）は内部構造を示す図、（ｃ）は（ａ）に示したＡ−Ａ’断面図である。また、図９は、図８に示したラベル２０１の積層状態を示す図である。
【００５６】
本形態は図８及び図９に示すように、音声情報の記録及び再生が可能なシート状の音声情報記録／再生部２３０が、紙基材等の柔軟性を有し、かつ薄型の基材からなる２枚の支持シート２２０ａ，２２０ｂに挟まれ、また、支持シート２２０ａの音声情報記録／再生部２３０が対向しない面側に、紙基材等の柔軟性を有し、薄型の基材からなる表面シート２１０ａが接着されて構成されている。また、支持シート２２０ｂの音声情報記録／再生部２３０が対向しない面の一部には剥離紙２６０が剥離可能に接着されている。なお、支持シート２２０ａの表裏にはそれぞれ粘着剤２２８ａ，２２９ａが塗布されており、また、支持シート２２０ｂの表面には粘着剤２２８ｂが塗布されており、支持シート２２０ｂの裏面のうち、支持シート２２０ｂに形成されたミシン目２２５ｂを介して切り離し可能に分割される２つの領域のうち一方の領域には粘着剤２２９ｂが塗布されている。表面シート２１０ａは、支持シート２２０ａに塗布された粘着剤２２８ａによって支持シート２２０ａに接着され、また、支持シート２２０ｂと剥離紙２６０とは支持シート２２０ｂに塗布された粘着剤２２９ｂによって剥離可能に接着されている。これら表面シート２１０ａと支持シート２２０ａとから１枚のシート基材を構成し、支持シート２２０ｂから１枚のシート基材を構成し、これら２枚のシート基材によって音声情報記録／再生部２３０が挟み込まれ、支持シート２２０ａの裏面に塗布された粘着剤２２９ａと支持シート２２０ｂの表面に塗布された粘着剤２２８ｂとによって音声情報記録／再生部２３０が固定されている。なお、支持シート２２０ｂのうち、ミシン目２２５ｂを介して分割される一方の領域の裏面には粘着剤２２９ｂが塗布されておらず、その領域には剥離紙２６０が接着されていない。
【００５７】
また、音声情報記録／再生部２３０は、ピエゾ素子２４１及び振動板２４２等からシート状に構成されて音声情報を入出力するための音声情報入出力部２４０と、音声情報入出力部２４０を介して入力された音声情報が記録されるメモリ領域を具備する薄型のＩＣチップ２３４やコンデンサ、抵抗等の回路素子、並びにＩＣチップ２３４と電気的に接続され、ＩＣチップ２３４に記録された音声情報を出力する際に操作される第２のスイッチ２３３ａが搭載された音声基板２３２と、音声基板２３２に接続され、音声基板２３２に電源を供給するための柔軟性を有してなるペーパー電池２３１と、音声情報入出力部２４０を介して入力された音声情報をＩＣチップ２３４に記録する際に操作される第１のスイッチ２３３ｂが搭載され、ＩＣチップ２３４及びペーパー電池２３１とスイッチ２３３ｂとを電気的に接続するための配線パターン２７１ａ，２７１ｂが形成された接続基板２７０とから構成されている。これにより、音声情報記録／再生部２３０はシート状に構成されている。さらに、音声基板２３２には、外部からＩＣチップ２３４に音声情報を入力したり、ＩＣチップ２３４に記録された音声情報を外部に出力したりするための接続端子２３５が設けられ、また、ペーパー電池２３１の正極とスイッチ２３３ａとを接続する配線パターン２３７ａと、ＩＣチップ２３４のポート端子のうち、ＩＣチップ２３４のメモリ領域に記録された音声情報を出力するための指示信号が入力されるポート端子とスイッチ２３３ａとを接続する配線パターン２３７ｂと、ＩＣチップ２３４のポート端子のうち、音声情報入出力部２４０を介して入力された音声情報をＩＣチップ２３４のメモリ領域に記録するための指示信号が入力されるポート端子と接続基板２７０に形成された配線パターン２７１ｂとを接続する配線パターン２３７ｃとが形成されている。なお、配線パターン２３７ａと配線パターン２３７ｂとはスイッチ２３３ａの下部にて電気的に接続されておらず、また、配線パターン２７１ａと配線パターン２７１ｂとはスイッチ２３３ｂの下部にて電気的に接続されていない。また、音声基板２３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ２３４が接合されている。また、接続基板２７０においても、上述したような柔軟性を有するものである必要があるが、さらに、フィルム等の切断しやすい材料から構成する必要がある。また、ＩＣチップ２３４は、音声情報入出力部２４０を介して入力された音声情報をメモリ領域に記録し、また、メモリ領域に記録された音声情報を音声情報入出力部２４０を介して出力する制御を行うものであって、配線パターン２３７ｂに接続されたポート端子が電源電位になった場合、ＩＣチップ２３４のメモリ領域に記録された音声情報を出力し、また、配線パターン２３７ｃに接続されたポート端子が電源電位になっている間だけ、音声情報入出力部２４０を介して入力された音声情報をＩＣチップ２３４のメモリ領域に記録する。また、スイッチ２３３ａは、ＩＣチップ２３４のメモリ領域に記録された音声情報を音声情報入出力部２４０を介して出力する際に操作されるものであり、また、スイッチ２３３ｂは、音声情報入出力部２４０を介して入力された音声情報をＩＣチップ２３４のメモリ領域に記録する際に操作されるものである。
【００５８】
これら音声情報記録／再生部２３０を構成する音声情報入出力部２４０、音声基板２３２、ペーパー電池２３１及び接続基板２７０は、音声情報入出力部２４０、音声基板２３２及びペーパー電池２３１が、ミシン目２２５ａ，２２５ｂを介して分割される２つの領域のうち一方の領域のみに、また、接続基板２７０が、ミシン目２２５ａ，２２５ｂを介して分割される２つの領域に跨り、スイッチ２３３ｂが、音声情報入出力部２４０、音声基板２３２及びペーパー電池２３１が挟み込まれた領域とは異なる領域となるように支持シート２２０ａ，２２０ｂに挟み込まれている。
【００５９】
また、図９に示すように、支持シート２２０ａにおいては、表面シート２１０ａに形成されたミシン目２０５と対向する領域にミシン目２２５ａが形成されており、また、音声情報記録／再生部２３０と積層された場合に、ペーパー電池２３１、スイッチ２３３ａ，２３３ｂ、ＩＣチップ２３４及び音声情報入出力部２４０と対向する領域に穴２２１ａ，２２２ａ，２２２ｂ，２２３，２２４ａがそれぞれ形成されている。また、その厚さは、音声情報記録／再生部２３０のスイッチ２３３ａの厚さよりも薄くなっている。
【００６０】
これにより、音声情報記録/／再生部２３０が支持シート２２０ａ，２２０ｂ及び表面シート２１０ａに挟み込まれた場合に、表面シート２１０ａの表面のうち、再生ボタン２０３ａが設けられた領域のみが他の領域に対して突出することになり、それにより、再生ボタン２０３ａが、外部から触れることにより識別可能なものとなる。
【００６１】
また、支持シート２２０ｂにおいては、表面シート２１０ａに形成されたミシン目２０５と対向する領域にミシン目２２５ｂが形成されており、また、音声情報記録／再生部２３０と積層された場合に、ペーパー電池２３１及び音声情報入出力部２４０と対向する領域に穴２２１ｂ，２２４ｂがそれぞれ形成されている。
【００６２】
また、図８に示すように、表面シート２１０ａにおいては、ミシン目２０５を介して音声情報記録／再生部２３０が挟み込まれる領域側に、このラベル２０１の提供先に伝達する情報が印刷される情報表示領域２０２が設けられ、また、支持シート２２０ａの穴２２２ａを介してスイッチ２３３ａと対向する領域にはスイッチ２３３ａを操作するための再生ボタン２０３ａを示す印刷が施され、また、支持シート２２０ａの穴２２２ｂを介してスイッチ２３３ｂと対向する領域にはスイッチ２３３ｂを操作するための録音ボタン２０３ｂを示す印刷が施されている。また、支持シート２２０ａの穴２２４ａを介して音声情報入出力部２４０と対向する領域には、音声情報入出力部２４０から出力された音声を外部に出力するための微細な穴が羅列されてなる音声出力領域２０４が形成されている。このように微細な穴が羅列されてなる音声出力領域２０４が形成されているため、音声情報入出力部２４０が表面シート２１０ａで覆われた状態であっても、音声情報入出力部２４０から出力される音量の低下を補うことができる。また、情報表示領域２０２に印刷される情報や再生ボタン２０３ａを示す情報等を表現する点字情報２０６が形成されている。
【００６３】
このように、音声情報記録／再生部２３０が、表面シート２１０ａ及び支持シート２２０ａ，２２０ｂに挟みこまれている。
【００６４】
以下に、上述したラベル２０１の使用方法について説明する。
【００６５】
まず、ラベル２０１の提供元において、表面シート２１０ａの情報表示領域２０２に伝達したい情報を印刷するとともに、再生ボタン２０３ａ及び録音ボタン２０３ｂをそれぞれ印刷する。
【００６６】
また、録音ボタン２０３ｂを介してスイッチ２３３ｂを押下しながら、ラベル２０１の提供先に伝達したい音声情報を音声情報入出力部２４０を介して入力し、ＩＣチップ２３４内のメモリ領域に記録する。
【００６７】
図８に示したラベル２０１において、録音ボタン２０３ｂを介してスイッチ２３３ｂが押下されていない場合は、接続基板２７０に形成された配線パターン２７１ａと配線パターン２７１ｂとが電気的に接続されていない状態となっている。そのため、ＩＣチップ２３４のポート端子のうち、配線パターン２３７ｃを介して配線パターン２７１ｂと接続されたポート端子、すなわち、音声情報入出力部２４０を介して入力された音声情報をＩＣチップ２３４のメモリ領域に記録するための指示信号が入力されるポート端子はオープン状態となっており、この状態において音声情報を音声情報入出力部２４０を介して入力しても、入力された音声情報はＩＣチップ２３４のメモリ領域に記録されない。
【００６８】
一方、録音ボタン２０３ｂを介してスイッチ２３３ｂが押下されると、接続基板２７０に形成された配線パターン２７１ａと配線パターン２７１ｂとが、スイッチ２３３ｂの裏面に塗布された導電剤（不図示）を介して電気的に接続された状態となる。すると、音声基板２３２に形成された配線パターン２３７ａがペーパー電池２３１の正極に接続されているため、配線パターン２３７ｃを介して配線パターン２７１ｂと接続されたポート端子、すなわち、音声情報入出力部２４０を介して入力された音声情報をＩＣチップ２３４のメモリ領域に記録するための指示信号が入力されるポート端子が電源電位となり、それにより、この状態において音声情報を音声情報入出力部２４０を介して入力すると、入力された音声情報がＩＣチップ２３４のメモリ領域に記録されることになる。
【００６９】
なお、上述したようにラベル２０１に印刷を施してから音声情報を記録することにより、ラベル２０１の提供先に所望の異なる音声情報を記録することができるが、音声情報を記録してから印刷を施すことも考えられる。また、音声情報入出力部２４０を介して音声情報を入力するのではなく、音声基板２３２に設けられた接続端子２３５を介して外部から音声情報を入力することも考えられる。その場合、接続端子２３５を介しては、音声情報とともにこの音声情報の入力を行う旨の指示が入力され、ＩＣチップ２３４においては、この指示が入力された場合、接続端子２３５を介して入力された音声情報をメモリ領域に記録することになる。また、接続端子２３５を介しては、ＩＣチップ２３４のメモリ領域に記録された音声情報を外部に出力することもできる。その場合、ＩＣチップ２３４のメモリ領域に記録された音声情報を出力する旨の指示が接続端子２３５を介して入力され、ＩＣチップ２３４において、この指示が入力された場合、メモリ領域に記憶された音声情報を接続端子２３５を介して出力することになる。
【００７０】
このように、情報が印刷され、かつ、ＩＣチップ２３４に音声情報が記録された後、ミシン目２０５，２２５ａ，２２５ｂを介して表面シート２１０ａ及び支持シート２２０ａ，２２０ｂを切断すると、それに伴って音声情報記録／再生部２３０の接続基板２７０が切断され、それにより、接続基板２７０に形成された配線パターン２７１ａ，２７１ｂが断線する。なお、接続基板２７０においては、ミシン目２０５，２２５ａ，２２５ｂに対向する領域に、配線パターン２７１の接続状態を損ねないような形状に切り込み２７２が形成されており、また、配線パターン２７１ａ，２７１ｂのミシン目２０５，２２５ａ，２２５ｂに対向する領域の線幅が細くなっているため、ミシン目２０５，２２５ａ，２２５ｂを介して表面シート２１０ａ及び支持シート２２０ａ，２２０ｂを切断した場合に、ミシン目２０５，２２５ａ，２２５ｂを介して容易に切断されるような構成となっている。
【００７１】
ミシン目２０５，２２５ａ，２２５ｂを介して表面シート２１０ａ及び支持シート２２０ａ，２２０ｂが２つの領域に切断されると、接続基板２７０が切断され、それにより、接続基板２７０に形成された配線パターン２７１ａ，２７１ｂが断線するとともに、音声情報入出力部２４０を介して入力された音声情報をＩＣチップ２３４に記録する際に操作されるスイッチ２３３ｂが、ＩＣチップ２３４やペーパー電池２３１から切り離される。
【００７２】
その後、ミシン目２０５，２２５ａ，２２５ｂを介して表面シート２１０ａ及び支持シート２２０ａ，２２０ｂが切断されたラベル２０１のうち、ＩＣチップ２３４やペーパー電池２３１が挟み込まれた側が被貼着体に貼着され、この被貼着体がラベル２０１の提供先に提供されることになる。この際、被貼着体に貼着されたラベル２０１においては、録音ボタン２０３ｂが存在しないため、ＩＣチップ２３４に音声情報が記録されることがない。
【００７３】
また、ラベル２０１の提供先において、再生ボタン２０３ａを介してスイッチ２３３ａが押下されると、ＩＣチップ２３４のメモリ領域に記録された音声情報が音声情報入出力部２４０を介して出力される。
【００７４】
上述した録音ボタン２０３ｂを介してのスイッチ２３３ｂの押下時と同様に、再生ボタン２０３ａを介してスイッチ２３３ａが押下されていない状態においては、音声基板２３２に形成された配線パターン２３７ａと配線パターン２３７ｂとが電気的に接続されていない状態となっており、そのため、ＩＣチップ２３４のポート端子のうち、配線パターン２３７ｂと接続されたポート端子、すなわち、ＩＣチップ２３４のメモリ領域に記録された音声情報を出力するための指示信号が入力されるポート端子はオープン状態となっており、ＩＣチップ２３４のメモリ領域に記録された音声情報は出力されない。
【００７５】
一方、再生ボタン２０３ａを介してスイッチ２３３ａが押下されると、音声基板２３２に形成された配線パターン２３７ａと配線パターン２３７ｂとが、スイッチ２３３ａの裏面に塗布された導電剤（不図示）を介して電気的に接続された状態となる。すると、配線パターン２３７ａがペーパー電池２３１の正極に接続されているため、配線パターン２３７ｂと接続されたポート端子、すなわち、ＩＣチップ２３４のメモリ領域に記録された音声情報を出力するための指示信号が入力されるポート端子が電源電位となり、それにより、ＩＣチップ２３４のメモリ領域に記録された音声情報が音声情報入出力部２４０を介して出力される。このように、再生ボタン２０３ａを介してスイッチ２３３ａを押下することにより、ＩＣチップ２３４に記録された音声情報が音声情報入出力部２４０を介して出力されることになる。
【００７６】
上述したように本形態においては、２枚の支持シート２１０ａ，２１０ｂのうち、被貼着体への貼着側となる支持シート２１０ｂの、ミシン目２２５ｂを介して切断され、被貼着体に貼着されない領域の被貼着体への貼着面に粘着剤が塗布されていないため、被貼着体に貼着前に切り離されるべき領域が誤って被貼着体に貼着されてしまうことを防止することができる。
【００７７】
なお、上述した３つの実施の形態にて示したラベル１，１０１，２０１は、例えば、薬袋に貼着して使用することが考えられる。
【図面の簡単な説明】
【００７８】
【図１】本発明のラベルの第１の実施の形態を示す図であり、（ａ）は表面から見た図、（ｂ）は内部構造を示す図、（ｃ）は（ａ）に示したＡ−Ａ’断面図である。
【図２】図１に示したラベルの積層状態を示す図である。
【図３】図１及び図２に示した支持シート２０ａ，２０ｂと音声情報記録／再生部３０とを積層した状態を示す図である。
【図４】本発明のラベルの第２の実施の形態を示す図であり、（ａ）は表面から見た図、（ｂ）は内部構造を示す図、（ｃ）は（ａ）に示したＡ−Ａ’断面図、（ｄ）は（ａ）に示したＢ−Ｂ’断面図である。
【図５】図４に示したラベルの積層状態を示す図である。
【図６】図４に示した録音ボタンを介してスイッチを押下した場合の動作するための図であり、（ａ）はスイッチが押下されていない状態におけるスイッチ近傍の断面図、（ｂ）はスイッチが押下された状態におけるスイッチ近傍の断面図である。
【図７】図４に示したラベルがミシン目を介して２つの領域に切断された状態における内部構造を示す図である。
【図８】本発明のラベルの第３の実施の形態を示す図であり、（ａ）は表面から見た図、（ｂ）は内部構造を示す図、（ｃ）は（ａ）に示したＡ−Ａ’断面図である。
【図９】図８に示したラベルの積層状態を示す図である。
【符号の説明】
【００７９】
１，１０１，２０１    ラベル
２，１０２，２０２    情報表示領域
３，１０３ａ，２０３ａ    再生ボタン
４，１０４，２０４    音声出力領域
１０ａ，１０ｂ，１１０ａ，１１０ｂ，２１０ａ，２１０ｂ    表面シート
２０ａ，２０ｂ，１２０ａ，１２０ｂ，２２０ａ，２２０ｂ    支持シート
２１ａ，２１ｂ，２２，２３，２４ａ，２４ｂ，１２１ａ，１２１ｂ，１２２，１２３，１２４ａ，１２４ｂ，２２１ａ，２２１ｂ，２２２ａ，２２２ｂ，２２３，２２４ａ，２２４ｂ，
２８ａ，２８ｂ，２９ａ，２９ｂ，５０，１２８ａ，１２８ｂ，１２９ａ，１２９ｂ，２２８ａ，２２８ｂ，２２９ａ，２２９ｂ，    粘着剤
３０，１３０，２３０    音声情報記録／再生部
３１，１３１，２３１    ペーパー電池
３２，１３２，２３２    音声基板
３３，１３３ａ，１３３ｂ，２３３ａ，２３３ｂ    スイッチ
３４，１３４，２３４    ＩＣチップ
３５，１３５，２３５    接続端子
４０    音声情報出力部
４１，１４１，２４１    ピエゾ素子
４２，１４２，２４２    振動板
６０，１６０，２６０    剥離紙
１０３ｂ，２０３ｂ    録音ボタン
１３７ａ〜１３７ｄ，１７１，２３７ａ〜２３７ｃ，２７１ａ，２７１ｂ    配線パターン
１４０，２４０    音声情報入出力部
１７０，２７０    接続基板
１７２，２７２    切り欠き
２０６    点字情報
【図１】
2006001039.tif 000003
【図２】
2006001039.tif 000004
【図３】
2006001039.tif 000005
【図４】
2006001039.tif 000006
【図５】
2006001039.tif 000007
【図６】
2006001039.tif 000008
【図７】
2006001039.tif 000009
【図８】
2006001039.tif 000010
【図９】
2006001039.tif 000011